(57)【要約】【課題】雑音防止装置における第１コンデンサ及び第２コンデンサを効率よく配置する。【解決手段】ウォッシャポンプの雑音防止装置５０では、第１コンデンサ７０及び第２コンデンサ８０が第１方向（矢印Ｃび矢印Ｄ方向）を高さ方向として配置されている。このため、ウォッシャポンプの軸方向における第１コンデンサ７０及び第２コンデンサ８０の設置スペースが大きくなることを抑制できる。また、第２コンデンサ８０の第２端子８６Ａが第１コンデンサ７０の第１端子７６Ａ，７６Ｂの間に配置されている。このため、第１コンデンサ７０及び第２コンデンサ８０の設置スペースを、第１方向及び第２方向（矢印Ｅ及び矢印Ｆ方向）に小さくできる。このように、一対の第１端子７６Ａ，７６Ｂ（第２端子８６Ａ，８６Ｂ）間の空間を有効に活用して第２端子８６Ａ（第１端子７６Ａ）を配置しているため、第１コンデンサ７０及び第２コンデンサ８０を効率よく配置できる。【選択図】図１
2015195688.tif 000002
【特許請求の範囲】
【請求項１】
筒状に形成されると共に、モータを収容するモータ収容部と、前記モータの回転軸に一体回転可能に軸支されたインペラを収容するポンプ室と、を有するハウジングと、
外部コネクタと接続される給電ターミナルを有すると共に、前記モータ収容部の開口部を塞ぐキャップと、
前記キャップと前記モータとの間に設けられ、前記給電ターミナルと前記モータとの間を接続して前記モータの駆動時におけるノイズの発生を抑制する雑音防止装置と、
前記雑音防止装置の一部を構成し、前記ハウジングの軸方向に対して直交する直交方向を高さ方向として配置され、素子本体の一端部から前記直交方向一方側へ延出された一対の第１端子を有する第１コンデンサと、
前記雑音防止装置の一部を構成し、前記直交方向を高さ方向として配置され、素子本体の一端部から前記直交方向他方側へ延出された一対の第２端子を有すると共に、前記ハウジングの軸方向から見て前記第２端子の一方が一対の前記第１端子の間に配置された第２コンデンサと、
を備えたポンプ装置。
【請求項２】
前記雑音防止装置は、前記第１コンデンサ及び前記第２コンデンサを保持する保持部材を有しており、
前記保持部材は、
前記第１コンデンサ及び前記第２コンデンサが載置されるベース部と、
前記第１コンデンサ及び前記第２コンデンサの前記素子本体の一端部にそれぞれ当接された一対のストッパ部と、
前記直交方向に弾性変形可能に構成され、前記第１コンデンサ及び前記第２コンデンサの前記素子本体の他端部にそれぞれ当接されて前記素子本体を前記ストッパ部側へそれぞれ付勢する一対の付勢部と、
を含んで構成された請求項１に記載のポンプ装置。
【請求項３】
前記付勢部は、前記第１コンデンサ及び前記第２コンデンサの前記素子本体の他端部にそれぞれ当接された傾斜面を有しており、
前記傾斜面が、前記ハウジングの軸方向に対して前記素子本体側且つ前記ベース部側へ傾斜された請求項２に記載のポンプ装置。
【請求項４】
前記保持部材が樹脂製とされると共に、前記ベース部及び前記付勢部が一体に形成された請求項２又は請求項３に記載のポンプ装置。
【請求項５】
前記雑音防止装置は、前記第１コンデンサ及び前記第２コンデンサに加えて一対のチョークコイル及び第３コンデンサを有し、
前記ハウジングの周方向において、前記第１コンデンサと前記第２コンデンサとの間に前記チョークコイルが配置され、
前記ハウジングの軸方向から見て、前記第３コンデンサが、一対の前記チョークコイルの間に配置されると共に、前記第１コンデンサ及び前記第２コンデンサと前記ハウジングの軸方向にラップして配置された請求項１〜請求項４の何れか１項に記載のポンプ装置。
【発明の詳細な説明】
【技術分野】
【０００１】
本発明は、雑音防止装置を備えたポンプ装置に関する。
【背景技術】
【０００２】
ポンプ装置では、モータ駆動時のノイズの発生を抑制するための電気ノイズ抑制装置（雑音防止装置）を備えたものがある（例えば、下記特許文献１参照）。この電気ノイズ抑制装置は、一対のチョークコイルと一対のコンデンサとを含んで構成されており、これらチョークコイル及びコンデンサが、筒状のハウジング内に収容されている。そして、一対のコンデンサは、ハウジングの軸方向に対して傾いて配置されている。これにより、ハウジングの軸方向から見たコンデンサの設置スペースを小さくすることができる。
【先行技術文献】
【特許文献】
【０００３】
【特許文献１】特開２０１２−４４８１４号公報
【発明の概要】
【発明が解決しようとする課題】
【０００４】
しかしながら、上記ポンプ装置では、上述したように、一対のコンデンサが、ハウジングの軸方向に対して傾いて配置されているため、ハウジングの軸方向におけるコンデンサの設置スペースが比較的大きくなってしまう。したがって、上記ポンプ装置では、電気ノイズ抑制装置におけるこれらのコンデンサを効率よく配置する点において改善の余地がある。
【０００５】
本発明は、上記事実を考慮し、雑音防止装置における第１コンデンサ及び第２コンデンサを効率よく配置することができるポンプ装置を提供することを目的とする。
【課題を解決するための手段】
【０００６】
本発明のポンプ装置は、筒状に形成されると共に、モータを収容するモータ収容部と、前記モータの回転軸に一体回転可能に軸支されたインペラを収容するポンプ室と、を有するハウジングと、外部コネクタと接続される給電ターミナルを有すると共に、前記モータ収容部の開口部を塞ぐキャップと、前記キャップと前記モータとの間に設けられ、前記給電ターミナルと前記モータとの間を接続して前記モータの駆動時におけるノイズの発生を抑制する雑音防止装置と、前記雑音防止装置の一部を構成し、前記ハウジングの軸方向に対して直交する直交方向を高さ方向として配置され、素子本体の一端部から前記直交方向一方側へ延出された一対の第１端子を有する第１コンデンサと、前記雑音防止装置の一部を構成し、前記直交方向を高さ方向として配置され、素子本体の一端部から前記直交方向他方側へ延出された一対の第２端子を有すると共に、前記ハウジングの軸方向から見て前記第２端子の一方が一対の前記第１端子の間に配置された第２コンデンサと、を備えている。
【０００７】
上記構成のポンプ装置によれば、筒状に形成されたハウジングが、モータ収容部とポンプ室とを有している。このモータ収容部には、モータが収容されており、モータ収容部の開口部がキャップによって塞がれている。また、モータの回転軸には、インペラが一体回転可能に軸支されており、インペラはポンプ室に収容されている。さらに、キャップとモータとの間には、雑音防止装置が設けられており、雑音防止装置は、第１コンデンサ及び第２コンデンサを含んで構成されている。そして、キャップに設けられた給電ターミナルとモータとの間を雑音防止装置が接続して、モータの駆動時におけるノイズの発生が雑音防止装置によって抑制されるようになっている。
【０００８】
ここで、第１コンデンサ及び第２コンデンサは、ハウジングの軸方向に対して直交する直交方向を高さ方向として配置されている。すなわち、第１コンデンサ及び第２コンデンサが、ハウジングの軸方向に対して直交する方向に倒れた状態で配置されている。このため、ハウジングの軸方向における第１コンデンサ及び第２コンデンサの設置スペースが大きくなることを抑制することができる。
【０００９】
また、第１コンデンサの一対の第１端子が、第１コンデンサの素子本体の一端部から直交方向一方側へ延出されており、第２コンデンサの一対の第２端子が、第２コンデンサの素子本体の一端部から直交方向他方側へ延出されている。そして、ハウジングの軸方向から見て、第２端子の一方が、一対の第１端子の間に配置されている。換言すると、ハウジングの軸方向から見て、第１端子と第２端子とが交互に配置されている。このため、第１コンデンサ及び第２コンデンサを隣接して並んで配置した場合と比べて、ハウジングの軸方向から見た第１コンデンサ及び第２コンデンサの設置スペース（配置面積）を小さくすることができる。このように、本発明のポンプ装置では、一対の第１端子（第２端子）間の空間を有効に活用して第２端子（第１端子）を配置しているため、第１コンデンサ及び第２コンデンサを効率よく配置することができる。
【００１０】
本発明のポンプ装置は、上記構成に加えて、前記雑音防止装置は、前記第１コンデンサ及び前記第２コンデンサを保持する保持部材を有しており、前記保持部材は、前記第１コンデンサ及び前記第２コンデンサが載置されるベース部と、前記第１コンデンサ及び前記第２コンデンサの前記素子本体の一端部にそれぞれ当接された一対のストッパ部と、前記直交方向に弾性変形可能に構成され、前記第１コンデンサ及び前記第２コンデンサの前記素子本体の他端部にそれぞれ当接されて前記素子本体を前記ストッパ部側へそれぞれ付勢する一対の付勢部と、を含んで構成されている。
【００１１】
上記構成のポンプ装置によれば、雑音防止装置は保持部材を有しており、第１コンデンサ及び第２コンデンサが、保持部材のベース部に載置されて、保持部材によって保持されている。
【００１２】
また、保持部材は、一対のストッパ部と、一対の付勢部と、を有している。そして、一対のストッパ部が、第１コンデンサ及び第２コンデンサの素子本体の一端部にそれぞれ当接されている。一方、付勢部は、直交方向に弾性変形可能に構成されており、付勢部が第１コンデンサ及び第２コンデンサの素子本体の他端部にそれぞれ当接されて、当該素子本体がストッパ部側へ付勢されている。
【００１３】
このため、保持部材に対する第１コンデンサ（第２コンデンサ）の直交方向の位置を、素子本体の一端部を基準に設定することができる。これにより、例えば、第１コンデンサ（第２コンデンサ）の第１端子（第２端子）が接続されるターミナルと、第１端子（第２端子）と、の間の位置ばらつきが抑制されるため、第１端子（第２端子）を当該ターミナルに安定して接続することができる。
【００１４】
本発明のポンプ装置は、上記構成に加えて、前記付勢部は、前記第１コンデンサ及び前記第２コンデンサの前記素子本体の他端部にそれぞれ当接された傾斜面を有しており、前記傾斜面が、前記ハウジングの軸方向に対して前記素子本体側且つ前記ベース部側へ傾斜されている。
【００１５】
上記構成のポンプ装置によれば、付勢部は傾斜面を有しており、傾斜面が第１コンデンサ及び第２コンデンサの素子本体の他端部にそれぞれ当接されている。そして、傾斜面が、ハウジングの軸方向に対して素子本体側且つベース部側へ傾斜されている。このため、付勢部によって、第１コンデンサ及び第２コンデンサの素子本体にベース部側への付勢力をも作用させることができる。これにより、保持部材の第１コンデンサ及び第２コンデンサに対する保持性能を向上することができる。
【００１６】
本発明のポンプ装置は、上記構成に加えて、前記保持部材が樹脂製とされると共に、前記ベース部及び前記付勢部が一体に形成されている。
【００１７】
上記構成のポンプ装置によれば、保持部材が樹脂製とされており、ベース部及び付勢部が一体に形成されているため、第１コンデンサ及び第２コンデンサを保持する保持部材を簡易な構成にすることができる。
【００１８】
本発明のポンプ装置は、上記構成に加えて、前記雑音防止装置は、前記第１コンデンサ及び前記第２コンデンサに加えて一対のチョークコイル及び第３コンデンサを有し、前記ハウジングの周方向において、前記第１コンデンサと前記第２コンデンサとの間に前記チョークコイルが配置され、前記ハウジングの軸方向から見て、前記第３コンデンサが、一対の前記チョークコイルの間に配置されると共に、前記第１コンデンサ及び前記第２コンデンサと前記ハウジングの軸方向にラップして配置されている。
【００１９】
上記構成のポンプ装置によれば、雑音防止装置が、第１コンデンサ及び第２コンデンサに加えて一対のチョークコイル及び第３コンデンサを有している。そして、ハウジングの周方向において、チョークコイルが、第１コンデンサと第２コンデンサとの間に配置されている。これにより、雑音防止装置において、第１コンデンサ、第２コンデンサ、及び一対のチョークコイルを、効率よく配置することができる。
【００２０】
さらに、ハウジングの軸方向から見て、第３コンデンサが、一対のチョークコイルの間に配置されると共に、第１コンデンサ及び第２コンデンサとハウジングの軸方向にラップして配置されている。これにより、ハウジングの径方向における雑音防止装置の大型化を抑制しつつ、第３コンデンサを雑音防止装置に搭載することができる。
【図面の簡単な説明】
【００２１】
【図１】本実施の形態に係る車両用ウォッシャポンプ装置に用いられる雑音防止装置の第１コンデンサ及び第２コンデンサの配置関係を示す平面図である。
【図２】本実施の形態に係る車両用ウォッシャポンプ装置に用いられる雑音防止装置を示す分解斜視図である。
【図３】図２に示される雑音防止装置を構成する部品の電気的接続関係を説明するための説明図である。
【図４】図１に示される第１コンデンサの保持状態を示す断面図（図１の４−４線断面図）である。
【図５】図２に示される雑音防止装置の全体を示す斜視図である。
【図６】本実施の形態に係る車両用ウォッシャポンプ装置を示す分解斜視図である。
【図７】図６に示されるモータ本体を示す縦断面図（図６の７−７線断面図）である。
【図８】（Ａ）は図６に示されるコネクタキャップを下方側から見た斜視図であり、（Ｂ）は、（Ａ）に示されるコネクタキャップ内に雑音防止装置が収容された状態を示す下方側から見た斜視図である。
【発明を実施するための形態】
【００２２】
以下、図面を用いて本実施の形態に係る「ポンプ装置」としての車両用ウォッシャポンプ装置１０（以下、ウォッシャポンプ１０と称する）について説明する。このウォッシャポンプ１０は、遠心ポンプとして構成されている。また、ウォッシャポンプ１０は、車両（自動車）のエンジンルーム（パワーユニット室）内に配設されたウォッシャタンク（図示省略）に、ウォッシャポンプ１０の上下方向（図６の矢印Ａ方向及び矢印Ｂ方向）を車両の上下方向と一致させた状態で組付けられている。さらに、図６に示されるように、ウォッシャポンプ１０は、ポンプ本体１２と、コネクタキャップ４０と、雑音防止装置５０と、を含んで構成されている。以下、各構成について説明する。
【００２３】
（ポンプ本体１２について）
図７に示されるように、ポンプ本体１２は、ハウジング１４と、モータ３０と、インペラ３８と、を含んで構成されている。ハウジング１４は、樹脂製とされると共に、上下方向を軸方向とした略円筒状に形成されている。また、ハウジング１４は、モータ収容部１６と、インレット２０と、ポンプ室２２と、アウトレット２８と、を含んで構成されている。
【００２４】
モータ収容部１６は、ハウジング１４の上側部分（図７の矢印Ａ方向側部分）を構成すると共に、上側へ開放された略有底円筒状に形成されている。このモータ収容部１６の底壁部分は区画壁１８とされており、後述するインレット２０内とモータ収容部１６内とが、この区画壁１８によって区画されている。そして、モータ収容部１６内にモータ３０が同軸上に収容されており、モータ３０の回転軸３２が、区画壁１８を貫通して区画壁１８から下側へ突出されている。なお、回転軸３２が貫通する区画壁１８の軸孔部分にはシール部材が配置されてモータ収容部１６内への洗浄液（液体）の浸入が防止されている。また、モータ３０の上端部における外周部には、一対のモータ端子３４，３６（図６参照）が設けられている。このモータ端子３４，３６は、モータ３０の軸線に対して点対称となる位置に配置されると共に、略矩形板状に形成されて、モータ３０の上端部から上側へ（後述するコネクタキャップ４０のハウジング１４への組付け方向に沿って）突出されている。
【００２５】
インレット２０は、モータ収容部１６の下側に配置されている。このインレット２０は、略円筒状に形成されると共に、ハウジング１４の軸線ＡＬ１に対して直交する方向を軸方向として、ハウジング１４の径方向外側へ延設（突出）されている。また、インレット２０の内部空間は吸入孔２０Ａとされており、吸入孔２０Ａはモータ収容部１６の下側まで延びている。そして、インレット２０がウォッシャタンク内に挿入された状態で、ハウジング１４がグロメット（図示省略）などを介してウォッシャタンクの組付孔に組付けられている。
【００２６】
ポンプ室２２は、ハウジング１４の下端部において、インレット２０よりも下側に配置されている。また、ポンプ室２２は、断面略円形状に形成されると共に、下側へ開放されている。そして、ハウジング１４の下端部の開口部には、端部キャップ２４が超音波溶着等により水密に固定されており、これにより、ポンプ室２２が端部キャップ２４によって閉塞されている。また、ポンプ室２２とインレット２０の吸入孔２０Ａとの間には、連通孔２６が形成されている。この連通孔２６は、モータ３０の回転軸３２と同軸上に配置されると共に、ポンプ室２２内とインレット２０内（吸入孔２０Ａ）とをポンプ室２２の中心部において連通している。そして、前述したモータ３０の回転軸３２がインレット２０内及び連通孔２６を介してポンプ室２２まで延びており、回転軸３２の先端部がポンプ室２２内に配置されている。
【００２７】
さらに、ポンプ室２２内には、インペラ３８が収容されており、インペラ３８は、モータ３０の回転軸３２の先端部に一体回転可能に軸支されている。このインペラ３８は、複数の羽根を有しており、羽根は回転軸３２の径方向外側へ延びている。
【００２８】
アウトレット２８は、略円筒形状に形成されると共に、ハウジング１４の下端部からハウジング１４の径方向外側へ延設（突出）されている。具体的には、アウトレット２８は、ハウジング１４からインレット２０とは反対側へ突出され、平面視でインレット２０の軸線ＡＬ２方向に配置されている。このアウトレット２８の内部は、それぞれポンプ室２２内と連通されている。そして、インペラ３８が回転方向一方側へ回転されると、ウォッシャタンク内の洗浄液がアウトレット２８へ圧送されるようになっている。
【００２９】
なお、アウトレット２８は、ホース（図示省略）を介して、車両のフロントウィンドシールドガラス洗浄用のフロントノズルに接続されている。そして、インペラ３８が回転すると、ポンプ室２２内の洗浄液が、アウトレット２８から吐出されて、フロントノズルに供給されるように構成されている。
【００３０】
（コネクタキャップ４０について）
図６に示されるように、コネクタキャップ４０は、下側へ開放された略有底円筒形状に形成されて、ハウジング１４の上側においてハウジング１４と同軸上に配置されている。そして、コネクタキャップ４０の下端部が、ハウジング１４におけるモータ収容部１６の開口部内に嵌入されて、超音波溶着等によってコネクタキャップ４０がハウジング１４に水密に固定されている。これにより、モータ収容部１６の開口部がコネクタキャップ４０によって閉塞されている。
【００３１】
図８（Ａ）に示されるように、コネクタキャップ４０には、後述する雑音防止装置５０を固定するための一対の固定爪４２が一体に形成されている。この固定爪４２は、コネクタキャップ４０の上壁から下側へ延びており、固定爪４２の先端部には、固定フック４２Ａが形成されている。
【００３２】
図６に示されるように、コネクタキャップ４０には、コネクタ部４０Ａが一体に形成されており、コネクタ部４０Ａは、略矩形筒状に形成されてコネクタキャップ４０の上壁から上側へ突出されている。具体的には、コネクタ部４０Ａは、側面視で上側へ向かうに従い、インレット２０とは反対側へ傾斜されている。
【００３３】
また、コネクタキャップ４０には、一対の給電ターミナル４４，４６が一体に設けられており、給電ターミナル４４，４６は、導電性を有する金属の板材により構成されると共に、略長尺状に形成されている。この給電ターミナル４４，４６の一端部はコネクタ部４０Ａ内に配置されている。また、給電ターミナル４４，４６は、それぞれ所定の形状に屈曲されており、給電ターミナル４４，４６の他端部がコネクタキャップ４０の上壁から下方側へ突出されている。そして、給電ターミナル４４，４６の他端部が、後述する雑音防止装置５０を介してモータ３０のモータ端子３４，３６に接続されている。これにより、コネクタ部４０Ａに車両側のハーネスの外部コネクタ（図示省略）が接続されることで、モータ３０に電流が供給されるようになっている。
【００３４】
（雑音防止装置５０について）
図６に示されるように、雑音防止装置５０は、モータ３０とコネクタキャップ４０との間に配置されて、モータ３０のモータ端子３４，３６と、コネクタ部４０Ａの給電ターミナル４４，４６と、の間を接続するように構成されている。これにより、モータ３０の駆動時におけるノイズの発生を雑音防止装置５０によって抑制するようになっている。
【００３５】
図２に示されるように、雑音防止装置５０は、モータ３０の駆動時に生じるノイズを吸収する３つのコンデンサ（それぞれラジアルリード型の第１コンデンサ７０、第２コンデンサ８０及び第３コンデンサ９０）と、一対のチョークコイル（第１チョークコイル１００及び第２チョークコイル１０２）と、を有している。また、雑音防止装置５０は、一対の給電側中継ターミナル１１０，１１２と、一対のモータ側中継ターミナル１１４，１１６（広義には、「中継ターミナル」として把握される要素である）と、アースターミナル１１８（広義には、「中継ターミナル」として把握される要素である）と、を有している。そして、これら雑音防止装置５０を構成する部品が、「保持部材」としてのホルダ５２によって保持されている。以下、初めに、雑音防止装置５０を構成する部品の電気的接続関係について説明し、次いで、各部品について説明する。
【００３６】
図３に示されるように、雑音防止装置５０では、第１チョークコイル１００の一端が、給電側中継ターミナル１１０によって給電ターミナル４４に接続されており、第２チョークコイル１０２の一端が、給電側中継ターミナル１１２によって給電ターミナル４６に接続されている。
【００３７】
また、第１チョークコイル１００の他端は、モータ側中継ターミナル１１４によってモータ３０のモータ端子３４及び第１コンデンサ７０の一端に接続されている。一方、第２チョークコイル１０２の他端は、モータ側中継ターミナル１１６によってモータ３０のモータ端子３６及び第２コンデンサ８０の一端に接続されている。こうして、第１チョークコイル１００と第２チョークコイル１０２とがモータ３０に対して正極側及び負極側にそれぞれ直列に接続されている。また、第１コンデンサ７０の他端及び第２コンデンサ８０の他端が、アースターミナル１１８によってグランド接地されている。また、第３コンデンサ９０は、給電側中継ターミナル１１０，１１２に接続されてモータ３０と並列に接続されている。
【００３８】
図１に示されるように、ホルダ５２は樹脂製とされている。また、ホルダ５２は略円板状のベース部５４を有しており、ベース部５４は、上下方向を板厚方向として配置されると共に、ハウジング１４及びコネクタキャップ４０と同軸上に配置されている。
【００３９】
なお、以下の説明では、説明の便宜上、平面視でベース部５４の軸線（すなわち、ハウジング１４の軸線ＡＬ１）を中心にしてインレット２０の軸線ＡＬ２を時計回りに４５度回転させた線を第１基準線Ｌ１と称し、ベース部５４の軸線ＡＬ１を通過して第１基準線Ｌ１に対して直交する線を第２基準線Ｌ２と称する。また、第１基準線Ｌ１に沿う方向を第１方向と称し、第１方向一方側（本発明の直交方向一方側）を矢印Ｃ方向側とし、第１方向他方側（本発明の直交方向他方側）を矢印Ｄ方向側とする。また、第２基準線Ｌ２に沿う方向を第２方向と称し、第２方向一方側を矢印Ｅ方向側とし、第２方向他方側を矢印Ｆ方向側とする。
【００４０】
ベース部５４の外周部には、一対の切欠部５６Ａ，５６Ｂが形成されている。この切欠部５６Ａ，５６Ｂは、ベース部５４の軸線ＡＬ１を基準にして点対称の位置に配置されており、切欠部５６Ａが第２基準線Ｌ２に対して第１方向一方側に隣接して配置され、切欠部５６Ｂが第２基準線Ｌ２に対して第１方向他方側に隣接して配置されている。この切欠部５６Ａ，５６Ｂは略Ｖ字形状に形成されて、ベース部５４の径方向外側へ開放されている。そして、切欠部５６Ａ，５６Ｂの縁部にコネクタキャップ４０の固定爪４２の固定フック４２Ａが係止されている。このように、上述の給電側中継ターミナル１１０，１１２の給電ターミナル４４，４６との接続とともに、ホルダ５２がコネクタキャップ４０に固定されて（図８（Ｂ参照）、雑音防止装置５０がコネクタキャップ４０内に収容されている。
【００４１】
第１コンデンサ７０は、ベース部５４の上面に載置されている。この第１コンデンサ７０は、略直方体状を成す「素子本体」としての第１素子本体７２を有しており、第１素子本体７２は第１方向を高さ方向にして配置されている。すなわち、第１コンデンサ７０は、ハウジング１４の軸方向に対して直交する方向に倒れた状態で配置されている。また、第１素子本体７２は、厚さ方向を上下方向とし且つ第２方向を幅方向として配置されると共に、第２基準線Ｌ２に対して第１方向他方側に配置されている。さらに、第１素子本体７２の幅方向中央が第１基準線Ｌ１に対して第２直交方向一方側にずれて配置されると共に、第１素子本体７２の一部が平面視で第１基準線Ｌ１とラップしている。
【００４２】
また、第１素子本体７２の一端部７２Ａには、幅方向両側部分において、一対の膨出部７４が形成されており、膨出部７４は、第１素子本体７２から第１方向一方側へ膨出されている。さらに、第１コンデンサ７０は一対の第１端子７６Ａ，７６Ｂを有しており、第１端子７６Ａ，７６Ｂは膨出部７４から第１方向一方側へ延びている。そして、第１端子７６Ａが第１基準線Ｌ１に対して第２方向他方側に配置されており、第１端子７６Ｂが第１基準線Ｌ１に対して第２方向一方側に配置されている。また、第１端子７６Ａ，７６Ｂの先端部は、第２基準線Ｌ２に対して第１方向一方側に配置されている。
【００４３】
第２コンデンサ８０は、第１コンデンサ７０と同一構造を成すと共に、ベース部５４の上面に載置されている。すなわち、第２コンデンサ８０は、「素子本体」としての第２素子本体８２と、第２素子本体８２の一端部８２Ａに形成された一対の膨出部８４と、膨出部８４からそれぞれ延出された一対の第２端子８６Ａ，８６Ｂと、を有している。また、第２素子本体８２の他端部が他端部８２Ｂとされている。そして、第１コンデンサ７０と第２コンデンサ８０とが、平面視でベース部５４の軸線ＡＬ１を基準にして点対称となるように配置されている。すなわち、第１コンデンサ７０の一対の第１端子７６Ａ，７６Ｂの間に第２端子８６Ａが配置されて、第２方向において、第１端子７６Ａ，７６Ｂと第２端子８６Ａ，８６Ｂとが交互に配置されている。これにより、平面視で第１コンデンサ７０と第２コンデンサ８０とが第１方向及び第２方向にラップしている。
【００４４】
また、上述したベース部５４の上面には、ベース部５４に対する第１コンデンサ７０及び第２コンデンサ８０の第１方向の位置を規定するための一対のストッパ部５８が形成されている。ストッパ部５８は、第１コンデンサ７０の一対の膨出部７４間及び第２コンデンサ８０の一対の膨出部８４間にそれぞれ配置されて、第１素子本体７２の一端部７２Ａ及び第２素子本体８２の一端部８２Ａにそれぞれ当接されている。これにより、第１コンデンサ７０の第１方向一方側への移動及び第１コンデンサ７０の第２方向への移動が、第１素子本体７２に当接されたストッパ部５８によって規制されている。同様に、第２コンデンサ８０の第１方向他方側への移動及び第２コンデンサ８０の第２方向への移動が、第２素子本体８２に当接されたストッパ部５８によって規制されている。
【００４５】
さらに、ベース部５４の上面には、外周部において、一対の「付勢部」としての係合爪６０が一体に形成されている。この係合爪６０は、第１素子本体７２及び第２素子本体８２に対応してそれぞれ形成されると共に、一対の係合爪６０が、ベース部５４の軸線ＡＬ１を基準に点対称に構成されている。このため、以下の説明では、第１素子本体７２に対応する係合爪６０について説明し、第２素子本体８２に対応する係合爪６０についての説明は省略する。
【００４６】
図４に示されるように、係合爪６０は、第１素子本体７２に対してストッパ部５８とは反対側に配置されている。また、係合爪６０は、略７の字形板状に形成されると共に、板厚方向を第１方向として配置されて、ベース部５４から上側へ延出されている。具体的には、係合爪６０は、ベース部５４から上側へ延出された第１アーム６０Ａと、第１アーム６０Ａの上端部から第２方向一方側へ延出された第２アーム６０Ｂと、第２アーム６０Ｂの先端部（第２方向一端部）から下側へ延出された第３アーム６０Ｃと、を含んで構成されている。そして、係合爪６０は第１方向に弾性変形可能に構成されている。
【００４７】
また、第３アーム６０Ｃの下端部には、係合フック部６２が形成されており、係合フック部６２は、第３アーム６０Ｃから第１方向一方側（第１素子本体７２側）へ突出されている。この係合フック部６２は傾斜面６２Ａを有しており、傾斜面６２Ａは、第２方向から見て下側へ向かうに従い第１方向他方側（第１素子本体７２から離間する方向側）へ傾斜されている。換言すると、傾斜面６２Ａは、上下方向に対してベース部５４側且つ第１素子本体７２側へ傾斜している。そして、傾斜面６２Ａが第１素子本体７２の他端部７２Ｂに当接されて、係合爪６０が第１方向他方側へ弾性変形している。これにより、第１素子本体７２が係合爪６０によって第１方向一方側（ストッパ部５８側）且つ下側へ付勢された状態で、第１コンデンサ７０がベース部５４に保持されている。
【００４８】
図２に示されるように、アースターミナル１１８は、導電性を有する金属の板材で構成されて、ベース部５４に保持されている。このアースターミナル１１８は、略上下方向に延びており、アースターミナル１１８の上端部には、接続部１１８Ａが形成されている。図１に示されるように、接続部１１８Ａは、ベース部５４の中央部の上側において、第１方向を板厚方向として配置されると共に、平面視で第２基準線Ｌ２上に配置されている。そして、接続部１１８Ａには、一対のスリット１１８Ｂが形成されており、このスリット１１８Ｂ内に第１コンデンサ７０の第１端子７６Ａ及び第２コンデンサ８０の第２端子８６Ａが圧入接続されている。また、アースターミナル１１８の下端部はグランド接地されている。
【００４９】
図２に示されるように、モータ側中継ターミナル１１４は、導電性を有する金属の板材により構成されて、ベース部５４に保持されている。このモータ側中継ターミナル１１４は接続部１１４Ａを有している。図１に示されるように、接続部１１４Ａは、アースターミナル１１８の接続部１１８Ａに対して第２方向一方側の位置において、第１方向を板厚方向として配置されると共に、平面視で第２基準線Ｌ２上に配置されている。そして、接続部１１４Ａには、スリット１１４Ｂが形成されており、スリット１１４Ｂ内に第１コンデンサ７０の第１端子７６Ｂが圧入接続されている。これにより、モータ側中継ターミナル１１４と第１コンデンサ７０とが電気的に接続されている。
【００５０】
また、図２に示されるように、モータ側中継ターミナル１１４は接続部１１４Ｃを有している。接続部１１４Ｃは、ベース部５４の径方向外側に配置されると共に、平面視で略Ｂ字形状に屈曲されている。そして、接続部１１４Ｃ内にモータ３０のモータ端子３４が圧入されている。これにより、モータ３０とモータ側中継ターミナル１１４とが電気的に接続されている。
【００５１】
さらに、モータ側中継ターミナル１１４は接続部１１４Ｄを有しており、接続部１１４Ｄは上側へ開放された断面略Ｖ字形状に屈曲されている。そして、接続部１１４Ｄは、後述する第１チョークコイル１００の端子を巻き付けるようにカシメられている（図１及び図５参照）。
【００５２】
図２に示されるように、モータ側中継ターミナル１１６は、導電性を有する金属の板材により構成されて、ベース部５４に保持されている。そして、モータ側中継ターミナル１１４とモータ側中継ターミナル１１６とが、ベース部５４の軸線ＡＬ１を基準にして点対称となるように構成されている。すなわち、図１に示されるように、モータ側中継ターミナル１１６は接続部１１６Ａを有している。この接続部１１６Ａは、アースターミナル１１８の接続部１１８Ａに対して第２方向他方側の位置において、第１方向を板厚方向として配置されて、平面視で第２基準線Ｌ２上に配置されている。そして、接続部１１６Ａには、スリット１１６Ｂが形成されており、スリット１１６Ｂ内に第２コンデンサ８０の第２端子８６Ｂが圧入接続されている。これにより、モータ側中継ターミナル１１６と第２コンデンサ８０とが電気的に接続されている。
【００５３】
また、図２に示されるように、モータ側中継ターミナル１１６は接続部１１６Ｃを有しており、接続部１１６Ｃ内にモータ３０のモータ端子３６が圧入接続されている。これにより、モータ３０とモータ側中継ターミナル１１６とが電気的に接続されている。さらに、モータ側中継ターミナル１１６は、接続部１１６Ｄを有しており、接続部１１６Ｄは、後述する第２チョークコイル１０２の端子を巻き付けるようにカシメられている（図１及び図５参照）。
【００５４】
図１及び図２に示されるように、第１チョークコイル１００は、略円柱状に形成されて、上下方向を軸方向として配置されている。また、第１チョークコイル１００は、第１コンデンサ７０に対して第１方向一方側に且つ第２コンデンサ８０に対して第２直交方向一方側に配置されて、ホルダ５２に保持されている。そして、図５に示されるように、第１チョークコイル１００の下端部における端子が、モータ側中継ターミナル１１４の接続部１１４Ｄに接続されており、第１チョークコイル１００の上端部における端子が、後述する給電側中継ターミナル１１０に接続されている。
【００５５】
図１及び図２に示されるように、第２チョークコイル１０２は、略円柱状に形成されて、上下方向を軸方向として配置されている。また、第２チョークコイル１０２は、平面視でベース部５４の軸線ＡＬ１を基準として第１チョークコイル１００と点対称の位置に配置されて、ホルダ５２に保持されている。すなわち、第２チョークコイル１０２は、第１コンデンサ７０に対して第２直交方向他方側に且つ第２コンデンサ８０に対して第１方向他方側に配置されている。これにより、ベース部５４の周方向において、第１コンデンサ７０、第１チョークコイル１００、第２コンデンサ８０、及び第２チョークコイル１０２が並んで配置されている。そして、図５に示されるように、第２チョークコイル１０２の下端部における端子が、モータ側中継ターミナル１１６の接続部１１６Ｄに接続されており、第２チョークコイル１０２の上端部における端子が、後述する給電側中継ターミナル１１２に接続されている。
【００５６】
図２に示されるように、給電側中継ターミナル１１０は、導電性を有する金属の板材により構成されて、ベース部５４に保持されている。給電側中継ターミナル１１０は、接続部１１０Ａを有しており、接続部１１０Ａは下側へ開放された断面略Ｖ字形状に屈曲されている。そして、接続部１１０Ａは、第１チョークコイル１００の上端部の端子を巻き付けるようにしてカシメられている（図５参照）。
【００５７】
また、給電側中継ターミナル１１０は接続部１１０Ｂを有しており、接続部１１０Ｂは平面視で略Ｂ字形状に屈曲されている。そして、接続部１１０Ｂ内に給電ターミナル４４の他端部が圧入接続されている。これにより、給電ターミナル４４が、給電側中継ターミナル１１０、第１チョークコイル１００、モータ側中継ターミナル１１４を介してモータ３０に電気的に接続されている。
【００５８】
さらに、給電側中継ターミナル１１０は、接続部１１０Ｃを有している。図５に示されるように、接続部１１０Ｃは、第１チョークコイル１００と第２チョークコイル１０２との間に配置されると共に、第１コンデンサ７０及び第２コンデンサ８０の上側に配置されている。この接続部１１０Ｃには、スリット１１０Ｄが形成されており、スリット１１０Ｄ内に、後述する第３コンデンサ９０の第３端子９６Ａが圧入接続されている。
【００５９】
図２に示されるように、給電側中継ターミナル１１２は、導電性を有する金属の板材により構成されて、ベース部５４に保持されている。そして、給電側中継ターミナル１１０と給電側中継ターミナル１１２とが、ベース部５４の軸線ＡＬ１を基準として点対称となるように構成されている。すなわち、給電側中継ターミナル１１２は、接続部１１２Ａを有しており、接続部１１２Ａは、第２チョークコイル１０２の上端部の端子を巻き付けるようにしてカシメられている（図５参照）。
【００６０】
また、給電側中継ターミナル１１２は、接続部１１２Ｂを有しており、接続部１１２Ｂ内に給電ターミナル４６が圧入接続されている。これにより、給電ターミナル４６が、給電側中継ターミナル１１２、第２チョークコイル１０２、モータ側中継ターミナル１１６を介してモータ３０に電気的に接続されている。さらに、図５に示されるように、給電側中継ターミナル１１２は接続部１１２Ｃを有しており、接続部１１２Ｃは、接続部１１０Ｃと第２チョークコイル１０２との間に配置されると共に、第１コンデンサ７０及び第２コンデンサ８０の上側に配置されている。また、接続部１１２Ｃには、スリット１１２Ｄが形成されており、スリット１１２Ｄ内に、後述する第３コンデンサ９０の第３端子９６Ｂが圧入接続されている。
【００６１】
図５に示されるように、第３コンデンサ９０は、第１コンデンサ７０と同一構造に構成されている。すなわち、第３コンデンサ９０は、第３素子本体９２（広義には、「素子本体」として把握される要素である）と、第３素子本体９２の一端部９２Ａに形成された一対の膨出部９４と、膨出部９４からそれぞれ延出された一対の第３端子９６Ａ，９６Ｂと、を有している。そして、第３コンデンサ９０は、第１チョークコイル１００と第２チョークコイル１０２との間に配置されると共に、第１コンデンサ及び第２コンデンサ８０の上側に配置されている。詳しくは、第３素子本体９２が第２素子本体８２の上側に配置されている。そして、第３コンデンサ９０の第３端子９６Ａが給電側中継ターミナル１１０の接続部１１０Ｃのスリット１１０Ｄ内に圧入接続されて、第３コンデンサ９０の第３端子９６Ｂが給電側中継ターミナル１１２の接続部１１２Ｃのスリット１１２Ｄ内に圧入接続されている。
【００６２】
次に、本実施の形態の作用及び効果について説明する。
【００６３】
上記のように構成されたウォッシャポンプ１０では、コネクタキャップ４０に設けられた給電ターミナル４４，４６が、雑音防止装置５０を介してモータ３０のモータ端子３４，３６に接続されている。この雑音防止装置５０は、モータ３０の駆動時に生じるノイズを吸収するための第１コンデンサ７０及び第２コンデンサ８０を含んで構成されている。これにより、モータ３０の駆動時におけるノイズの発生が雑音防止装置５０によって抑制される。
【００６４】
ここで、第１コンデンサ７０及び第２コンデンサ８０は、第１方向を高さ方向として配置されている。すなわち、第１コンデンサ７０及び第２コンデンサ８０は、ハウジング１４の軸方向に対して直交する方向を高さ方向として配置されている。このため、ハウジング１４の軸方向における第１コンデンサ７０及び第２コンデンサ８０の設置スペースが大きくなることを抑制することができる。
【００６５】
また、第１コンデンサ７０の一対の第１端子７６Ａ，７６Ｂが第１素子本体７２から第１方向一方側へ延出されており、第２コンデンサ８０の一対の第２端子８６Ａ，８６Ｂが第２素子本体８２から第１方向他方側へ延出されている。そして、平面視で第２端子８６Ａが一対の第１端子７６Ａ，７６Ｂの間に配置されている。換言すると、平面視で第１端子７６Ａ，７６Ｂと第２端子８６Ａ，８６Ｂとが第２方向に交互に配置されている。このため、平面視で第１コンデンサ７０及び第２コンデンサ８０を第１方向及び第２方向にラップして配置することができる。これにより、例えば、第１端子７６Ａ，７６Ｂと第２端子８６Ａ，８６Ｂが同一方向に延びるように第１コンデンサ７０及び第２コンデンサ８０を隣接して並んで配置した場合と比べて、第１コンデンサ７０及び第２コンデンサ８０の設置スペース（平面視の配置面積）を、小さくすることができる。このように、ウォッシャポンプ１０では、一対の第１端子７６Ａ，７６Ｂ（第２端子８６Ａ，８６Ｂ）間の空間を有効に活用して第２端子８６Ａ（第１端子７６Ａ）を配置しているため、第１コンデンサ７０及び第２コンデンサ８０を効率よく配置することができる。
【００６６】
また、ホルダ５２のベース部５４には、一対のストッパ部５８が形成されており、ストッパ部５８は、第１コンデンサ７０の一端部７２Ａ及び第２コンデンサ８０の一端部８２Ａにそれぞれ当接されている。さらに、ベース部５４には、一対の係合爪６０が形成されており、一対の係合爪６０が、第１素子本体７２の他端部７２Ｂ及び第２素子本体８２の他端部８２Ｂのそれぞれに当接されて、第１方向に弾性変形している。このため、第１素子本体７２及び第２素子本体８２が一対の係合爪６０によって、ストッパ部５８側へ付勢されている。
【００６７】
これにより、ホルダ５２に対する第１コンデンサ７０（第２コンデンサ８０）の第１方向の位置を、第１素子本体７２の一端部７２Ａ（第２素子本体８２の一端部８２Ａ）を基準に設定することができる。その結果、第１コンデンサ７０では、第１端子７６Ａ，７６Ｂと、アースターミナル１１８及びモータ側中継ターミナル１１４と、の間の位置ばらつきを抑制して、第１端子７６Ａ，７６Ｂを、アースターミナル１１８及びモータ側中継ターミナル１１４に安定して接続することができる。また、第２コンデンサ８０では、第２端子８６Ａ，８６Ｂと、アースターミナル１１８及びモータ側中継ターミナル１１６と、の間の位置ばらつきを抑制して、第２端子８６Ａ，８６Ｂを、アースターミナル１１８及びモータ側中継ターミナル１１６に安定して接続することができる。
【００６８】
この点について、第１コンデンサ７０を用いて説明する。第１コンデンサ７０では、一般に第１端子７６Ａ，７６Ｂの長さ寸法ＬＡ（図４参照）が第１素子本体７２からの長さで規定されている。そして、この長さ寸法ＬＡには、ばらつき（公差）がある。このため、ベース部５４において仮にストッパ部５８を省略した場合には、第１方向におけるベース部５４に対する第１素子本体７２の位置ばらつきと、第１端子７６Ａ，７６Ｂの長さ寸法ＬＡのばらつきと、が生じてしまう。これにより、モータ側中継ターミナル１１４の接続部１１４Ａ及びアースターミナル１１８の接続部１１８Ａからの第１端子７６Ａ，７６Ｂの先端部の突出量が少なくなる可能性がある。その結果、第１端子７６Ａ，７６Ｂを接続部１１４Ａ及び接続部１１８Ａに圧入接続するときの第１端子７６Ａ，７６Ｂの先端部における圧入代ＬＢ（図４参照）が少なくなり、第１端子７６Ａ，７６Ｂを接続部１１４Ａ及び接続部１１８Ａに良好に圧入することができなくなる虞がある。
【００６９】
これに対して、本実施の形態では、上述したように、ホルダ５２に対する第１コンデンサ７０の第１方向の位置が、第１素子本体７２の一端部７２Ａを基準にして設定される。このため、第１端子７６Ａ，７６Ｂの先端部における圧入代ＬＢに対して、第１方向におけるベース部５４に対する第１素子本体７２の位置ばらつきを考慮する必要がなくなる。これにより、モータ側中継ターミナル１１４の接続部１１４Ａ及びアースターミナル１１８の接続部１１８Ａからの第１端子７６Ａ，７６Ｂの先端部の突出量を確保することができる。その結果、第１端子７６Ａ，７６Ｂを接続部１１４Ａ及び接続部１１８Ａに圧入接続するときの第１端子７６Ａ，７６Ｂの圧入代ＬＢが確保されて、第１端子７６Ａ，７６Ｂを接続部１１４Ａ及び接続部１１８Ａに良好に圧入することができる。
【００７０】
また、係合爪６０における係合フック部６２の傾斜面６２Ａに、第１素子本体７２の他端部７２Ｂ（第２素子本体８２の他端部８２Ｂ）が当接されている。そして、傾斜面６２Ａが、上下方向に対して第１素子本体７２側（第２素子本体８２側）且つベース部５４側へ傾斜されている。このため、傾斜面６２Ａから第１素子本体７２（第２素子本体８２）に分力として下方側（ベース部５４）への付勢力をも作用させることができる。これにより、第１コンデンサ７０（第２コンデンサ８０）に対するホルダ５２の保持性能を向上することができる。
【００７１】
さらに、ホルダ５２は樹脂材で構成されており、ベース部５４と一対の係合爪６０とが一体に形成されている。これにより、第１コンデンサ７０及び第２コンデンサ８０を保持するホルダ５２を簡易な構造にすることができる。
【００７２】
さらに、雑音防止装置５０は、第１コンデンサ７０及び第２コンデンサ８０に加えて、第１チョークコイル１００、第２チョークコイル１０２、及び第３コンデンサ９０を有している。そして、第１コンデンサ７０、第１チョークコイル１００、第２コンデンサ８０、及び第２チョークコイル１０２がベース部５４（ハウジング１４）の周方向に並んで配置されている。これにより、雑音防止装置５０において、第１コンデンサ７０、第１チョークコイル１００、第２コンデンサ８０、及び第２チョークコイル１０２を、効率よく配置することができる。
【００７３】
さらに、第３コンデンサ９０は、第１チョークコイル１００と第２チョークコイル１０２との間に配置されると共に、該チョークコイルの高さ（長手軸線）方向の範囲内において第１コンデンサ７０及び第２コンデンサ８０と上下方向にラップ（重ねて）して配置されている。これにより、ハウジング１４の径方向における雑音防止装置５０の大型化を抑制しつつ、第３コンデンサ９０を雑音防止装置５０に搭載することができる。
【００７４】
また、雑音防止装置５０は、コネクタキャップ４０内に収容されると共に、コネクタキャップ４０に固定されている。これにより、例えば、ウォッシャポンプの仕様によって雑音防止装置５０を省略する場合には、コネクタキャップ４０を変更することで、ウォッシャポンプの仕様に容易に対応することができる。また、この場合には、ハウジング１４を共通部品として使用することができる。
【００７５】
さらに、コネクタキャップ４０の給電ターミナル４４，４６に、給電側中継ターミナル１１０，１１２がプラグ接続されたコネクタキャップ４０内の雑音防止装置５０を交換することで、異なる仕様の雑音防止装置５０に容易に変更が可能である。この場合にも、ハウジング１４は勿論、コネクタキャップ４０をも共通部品として使用することができる。
【００７６】
なお、本実施の形態では、雑音防止装置５０では、係合爪６０がベース部５４と一体に形成されている。これに代えて、係合爪６０とベース部５４とを別体に構成してもよい。例えば、係合爪６０を金属により構成して、係合爪６０とベース部５４とを一体化してもよい。
【００７７】
また、本実施の形態では、ハウジング１４に１つのアウトレット２８が形成されており、ウォッシャポンプ１０が所謂シングルアウトレットポンプとして構成されている。これに代えて、ハウジング１４に一対のアウトレット２８を形成して、モータ３０（インペラ３８）の回転方向を切り替えて一対のアウトレット２８からの洗浄液の吐出を択一的に切り替え可能な所謂ダブルアウトレットポンプとしてウォッシャポンプ１０を構成してもよい。
【符号の説明】
【００７８】
１０・・・車両用ウォッシャポンプ装置（ポンプ装置）、１４・・・ハウジング、１６・・・モータ収容部、２２・・・ポンプ室、３０・・・モータ、３２・・・回転軸、３８・・・インペラ、４０・・・コネクタキャップ（キャップ）、４４，４６・・・給電ターミナル、５０・・・雑音防止装置、５２・・・ホルダ（保持部材）、５４・・・ベース部
５８・・・ストッパ部、６０・・・係合爪（付勢部）、６２Ａ・・・傾斜面、７０・・・第１コンデンサ、７２・・・第１素子本体（第１コンデンサの素子本体）、７２Ａ・・・一端部（第１コンデンサの一端部）、７２Ｂ・・・他端部（第１コンデンサの他端部）、７６Ａ，７６Ｂ・・・第１端子、８０・・・第２コンデンサ、８２・・・第２素子本体（第２コンデンサの素子本体）、８２Ａ・・・一端部（第２コンデンサの一端部）、８２Ｂ・・・他端部（第２コンデンサの他端部）、８６Ａ，８６Ｂ・・・第２端子、９０・・・第３コンデンサ、１００・・・第１チョークコイル（チョークコイル）、１０２・・・第２チョークコイル（チョークコイル）
【図１】
2015195688.tif 000003
【図３】
2015195688.tif 000004
【図４】
2015195688.tif 000005
【図５】
2015195688.tif 000006
【図７】
2015195688.tif 000007
【図８】
2015195688.tif 000008
【図２】
2015195688.tif 000009
【図６】
2015195688.tif 000010